(57)【要約】      （修正有）【課題】細断量に応じた細断効率の優劣を表示するエコキープモニタを備えることで、最適な細断効率を一目でユーザーが認識でき、節電することができるようにしたエコキープモニタ付シュレッダーを提供する。【解決手段】筐体と、前記筐体の上面に設けられた紙投入口２０と、紙を細断する細断刃１６及び前記細断刃を駆動させる細断モータ２２を備えた細断部１８と、表示盤２５に配した１度に細断する細断枚数に応じた細断効率の優劣を表示するエコキープモニタと、を有するようにした。【選択図】図２
0003173612.tif 000002
【実用新案登録請求の範囲】
【請求項１】
筐体と、前記筐体の上面に設けられた紙投入口と、紙を細断する細断刃及び前記細断刃を駆動させる細断モータを備えた細断部と、前記筐体の一部に備えられ、１度に細断する細断枚数に応じた細断効率の優劣を表示するエコキープモニタと、を有することを特徴とするエコキープモニタ付シュレッダー。
【請求項２】
前記細断効率の優劣が、所定細断枚数の細断に対する消費電力量の優劣であることを特徴とする請求項１記載のエコキープモニタ付シュレッダー。
【請求項３】
前記筐体の一部に備えられたエコキープモニタが、所定細断枚数に対する適正枚数細断時に点灯させる適正枚数細断表示ランプと、所定細断枚数に対する少量枚数細断時に点灯させる少量枚数細断表示ランプと、所定細断枚数に対する大量枚数細断時に点灯させる大量枚数細断表示ランプと、の少なくとも３つの点灯表示ランプを含むことを特徴とする請求項１又は２記載のエコキープモニタ付シュレッダー。
【請求項４】
前記シュレッダーが、前記１度に細断する細断枚数に応じた前記細断モータのモータ電流を検知するモータ電流検知手段をさらに有し、前記細断モータのモータ電流の電流量に応じて、前記細断効率の優劣が前記エコキープモニタに表示されることを特徴とする請求項１〜３いずれか１記載のエコキープモニタ付シュレッダー。
【考案の詳細な説明】
【技術分野】
【０００１】
本考案は、現在の細断量に応じた細断効率の優劣をユーザーがわかるようにした新規なエコキープモニタ付シュレッダーに関する。
【背景技術】
【０００２】
従来、シュレッダーとしては、廃棄用紙などの紙を細断するシュレッダーが広く知られている。
【０００３】
本願出願人らは、廃棄用紙などを細断する細断刃を備えた細断部と、該細断部によって細断された細断屑を収容する屑収容箱と、該屑収容箱を外部に取出すための開閉自在の扉と、該屑収容箱の上方に上下動自在かつ回転自在に取りつけられた屑ならし手段と、該屑ならし手段を上方の待機位置及び下方の屑ならし位置にそれぞれ移動停止せしめる移動停止手段とを有し、該移動停止手段が上記扉の開閉に連動し、該扉を開放すると該屑ならし手段が上方の待機位置に移動停止して上記屑収容箱が取り出し可能となり、該扉を閉めると該屑ならし手段が下方の屑ならし位置に移動停止して該屑収容箱内の細断屑のならし作業が可能となるようにしたことを特徴とするシュレッダーの細断屑ならし装置を提案しており、好評を得ている（特許文献１）。
【０００４】
一方、現在の日本においては、さまざまな問題点を抱えているために節電に対する意識が非常に高まっている。特に企業においては、使用電力に対して独自の制限を設けたり、業務時間のシフト等で節電に努めている。電化製品の中には、環境・省エネルギー・エコロジーに対して考慮された製品が主流となってきている。このような背景の中で、シュレッダーにも省電力・省エネルギー性能が求められるようになってきている。
【０００５】
シュレッダーが消費する電力量は、ユーザーの使用状況によって大きく異なってくる。即ち、１度に細断する枚数によって電力量が増減するため、使用方法により消費電力量に大きな差が見られてくる。よって、シュレッダーでも、できるだけ節電したいというユーザーからのニーズがあった。
【先行技術文献】
【特許文献】
【０００６】
【特許文献１】特許３２７３８８１号公報
【考案の概要】
【考案が解決しようとする課題】
【０００７】
本考案は、上記した従来技術の問題点に鑑みなされたもので、細断量に応じた細断効率の優劣を表示するエコキープモニタを備えることで、最適な細断効率を一目でユーザーが認識でき、節電することができるようにしたエコキープモニタ付シュレッダーを提供することを目的とする。
【課題を解決するための手段】
【０００８】
上記課題を解決するために、本考案に係るエコキープモニタ付シュレッダーは、筐体と、前記筐体の上面に設けられた紙投入口と、紙を細断する細断刃及び前記細断刃を駆動させる細断モータを備えた細断部と、前記筐体の一部に備えられ、１度に細断する細断枚数に応じた細断効率の優劣を表示するエコキープモニタと、を有することを特徴とする。
【０００９】
このようにすれば、前記筐体の一部に備えられたエコキープモニタが、１度に細断する細断枚数に応じた細断効率の優劣を表示するので、最適な細断効率を一目でユーザーが認識でき、節電することができる。
【００１０】
前記細断効率の優劣は、所定細断枚数の細断に対する消費電力量の優劣であるのが好適である。
【００１１】
また、前記筐体の一部に備えられたエコキープモニタが、所定細断枚数に対する適正枚数細断時に点灯させる適正枚数細断表示ランプと、所定細断枚数に対する少量枚数細断時に点灯させる少量枚数細断表示ランプと、所定細断枚数に対する大量枚数細断時に点灯させる大量枚数細断表示ランプと、の少なくとも３つの点灯表示ランプを含むのが好ましい。
【００１２】
前記シュレッダーが、前記１度に細断する細断枚数に応じた前記細断モータのモータ電流を検知するモータ電流検知手段をさらに有し、前記細断モータのモータ電流の電流量に応じて、前記細断効率の優劣が前記エコキープモニタに表示されるのが好適である。
【考案の効果】
【００１３】
本考案に係るエコキープモニタ付シュレッダーによれば、細断量に応じた細断効率の優劣を表示するエコキープモニタを備えることで、最適な細断効率を一目でユーザーが認識でき、節電することができるという著大な効果を有する。
【図面の簡単な説明】
【００１４】
【図１】本考案のエコキープモニタ付シュレッダーの一つの実施の形態を示す斜視図である。
【図２】図１の実施の形態の縦断面図である。
【図３】本考案のエコキープモニタ付シュレッダーのブロック図である。
【図４】図１の要部拡大図である。
【考案を実施するための形態】
【００１５】
以下に本考案の一つの実施の形態を実施例に基づき添付図面を参照して説明する。本考案の技術思想から逸脱しない限りこれらの実施の形態について種々の変更又は変形が可能なことは言うまでもない。なお、同一部材は同一符号で示される。
【００１６】
図１、図２及び図４において、符号１０は本考案のエコキープモニタ付シュレッダーを示す。前記シュレッダー１０は、細断用紙Ｐなどを細断するためのシュレッダーである。
【００１７】
前記シュレッダー１０は、底板１２ａ、側板１２ｂ及び上部蓋板１２ｃからなる筐体１００を有し、前部には扉１２ｄが開閉自在に設けられる。該シュレッダー１０の内部中央周辺部にベース板１４が取り付けられている。該シュレッダー１０の内部は、該ベース板１４の上方に位置する上部空間１３と該ベース板１４の下方に位置する下部空間１５とに分かれる。該上部空間１３には、一対の細断刃１６からなる細断部１８が設けられており、細断モータ２２によって前記細断刃１６が駆動される。
【００１８】
前記筐体１００の上面には紙投入口２０が設けられており、紙Ｐが細断部１８へと送られる。また、紙投入口可動板２１も併せて設けられており、電源スイッチと連動して、紙投入口２０を開閉する役目を果たす。なお、底板１２ａにはキャスター４８が取り付けられている。
【００１９】
また、筐体１００の一部である上部蓋板１２ｃには、エコキープモニタ２４を含む表示盤２５が備え付けられている。表示盤２５には、電源スイッチが付いているほか、シュレッダー１０の状態を表す種々の表示が点灯する仕組みとされている。
【００２０】
エコキープモニタ２４は、１度に細断する細断枚数に応じた細断効率の優劣を表示するモニタである。さらに、下部空間１５には屑箱２６が収容されており、屑箱内に堆積した屑をセンシングするための屑センサ２８と、堆積した屑をならすための屑ならしファン３０と、屑ならしファン３０を駆動するための屑ならしモータ３２と、が設けられている。
【００２１】
前記細断効率の優劣は所定細断枚数の細断に対する消費電力量の優劣によって決められ、筐体１００内の上部空間１３に設けられた制御装置３４によって、所定の消費電力量に基づく消費電力量の大小によって消費電力量の優劣が決められる。
【００２２】
図３によく示される如く、細断モータ２２は、制御装置３４と接続されており、制御装置３４は、細断用紙Ｐを細断する際の細断モータ２２への負荷に応じたモータ電流を検出する電流検出部３６と、検出された電流値に応じて消費電力及び消費電力量を算出する制御部３８と、を有している。そして、制御部３８からの信号が伝達されるモータ出力部４０及びエコキープモニタ２４に伝達される。
【００２３】
このように、１度に細断する細断枚数に応じた前記細断モータ２２のモータ電流を検知するモータ電流検知手段である電流検出部３６により、前記細断モータ２２のモータ電流の電流量に応じて、前記細断効率の優劣が前記エコキープモニタ２４に表示される。
【００２４】
エコキープモニタ２４は、図４によく示されるごとく、所定細断枚数（例えば２５００枚）に対する適正枚数細断時（例えば１度に５〜１５枚前後）に点灯させる適正枚数細断表示ランプ（図示例では、エコキープドライブランプ）４２と、所定細断枚数に対する少量枚数細断時に点灯させる少量枚数細断表示ランプ（図示例では、アンダードライブランプ）４４と、所定細断枚数に対する大量枚数細断時に点灯させる大量枚数細断表示ランプ（図示例では、オーバードライブランプ）４６と、の３つの点灯表示ランプを含んでいる。
【００２５】
適正枚数細断表示ランプ４２は、最適な運転状態の時に点灯するもので、この場合には、細断効率が高く、一定量（例えばＡ４ＰＰＣ用紙を２５００枚細断する場合）の細断に対して最も節電することが出来る。
【００２６】
大量枚数細断表示ランプ４６は、１度に大量の用紙を投入した場合に点灯するもので、短時間での処理が可能だが、１回の細断で消費する電力が高く、一定量（例えばＡ４ＰＰＣ用紙を２５００枚細断する場合）の細断に要する電力量も大きくなる。
【００２７】
少量枚数細断表示ランプ４４は、１度に少量の用紙を投入した場合に点灯するもので、１回の細断で消費する電力は低く抑えられるが、一定量（例えばＡ４ＰＰＣ用紙を２５００枚細断する場合）の細断処理時間が多くなり、必要な電力量も大きくなる。
【００２８】
適正枚数細断表示ランプ４２点灯状態で２５００枚を細断した場合には、大量枚数細断表示ランプ４６点灯状態時と比較して、電力量が平均約１５％の省エネギーが見込まれる。
【００２９】
また、適正枚数細断表示ランプ４２点灯状態で２５００枚を細断した場合には、少量枚数細断表示ランプ４４点灯状態時と比較して、電力量が平均約４０％の省エネルギーが見込まれる。
【００３０】
このように、細断量に応じた細断効率をエコキープモニタ２４に表示することで、シュレッダー１０の消費する電力量をユーザーが使用方法によって低減させることが出来る。
【００３１】
また、細断量により表示を３段階に分けたことで、ユーザーは最大負荷付近（大量枚数細断表示ランプ点灯）の細断量を認識し、最大負荷を超えないよう細断量を調節することが出来る。その事で、最大負荷を超えた場合のカッターの逆転による時間と電力の浪費を防止することが出来る。
【符号の説明】
【００３２】
１０：エコキープモニタ付シュレッダー、１２ａ：底板、１２ｂ：側板、１２ｃ：上部蓋板、１２ｄ：扉、１３：上部空間、１４：ベース板、１５：下部空間、１６：細断刃、１８：細断部、２０：紙投入口、２１：紙投入口可動板、２２：細断モータ、２４：エコキープモニタ、２５：表示盤、２６：屑箱、２８：屑センサ、３０：屑ならしファン、３２：屑ならしモータ、３４：制御装置、３６：電流検出部、３８：制御部、４０：モータ出力部、４２：適正枚数細断表示ランプ、４４：少量枚数細断表示ランプ、４６：大量枚数細断表示ランプ、４８：キャスター、１００：筐体、Ｐ:細断用紙。
【図１】
0003173612.tif 000003
【図２】
0003173612.tif 000004
【図３】
0003173612.tif 000005
【図４】
0003173612.tif 000006